(57)【要約】【課題】防業務用等の大型アクセサリー等を強固に保持できる構造を備えながら、電気的接点をもつアクセサリー装置にも対応できるアクセサリーシューを持った撮像装置を提供する。【解決手段】アクセサリー取付け用のアクセサリーシュー部と、アクセサリーとの電気導通用の本体側接点部と、前記本体側接点部は光軸と垂直方向に形成され、前記本体側接点部の一部がシュー平面に対し下向き傾斜部を持ち、前記アクセサリーシュー内に光軸と垂直方向の立壁部をもち、前記下向き傾斜部は立壁部まで形成され、前記立壁部はシュー平面以下までの高さに形成され、前記立壁部はアクセサリー側の接点が前記立壁に接する状態で、前記本体側接点部とアクセサリー部が電気的導通が可能な位置に配置される。【選択図】図１２
2018105946.tif 000002
【特許請求の範囲】
【請求項１】
アクセサリー取付け用のアクセサリーシュー部と
アクセサリーとの電気導通用の本体側接点部と
前記本体側接点部は光軸と垂直方向に形成され、
前記本体側接点部の一部がシュー平面に対し下向き傾斜部を持ち、
前記アクセサリーシュー内に光軸と垂直方向の立壁部をもち、
前記下向き傾斜部は立壁部まで形成され、
前記立壁部はシュー平面以下までの高さに形成され、
前記立壁部はアクセサリー側の接点が前記立壁に接する状態で、前記本体側接点部とアクセサリー部が電気的導通が可能な位置に配置される、
ことを特徴とする電子機器。
【請求項２】
前記本体側接点のうち、下向き傾斜部は中央部の主接点部を除く前側にのみ形成されている、
ことを特徴とする請求項１に記載の電子機器。
【請求項３】
三脚用シューネジ穴部を持ち、前記シューネジ部はアクセサリー取付状態において、アクセサリーのロックピンが勘合する位置に配置されている、
ことを特徴とする請求項１又は２に記載の電子機器。
【発明の詳細な説明】
【技術分野】
【０００１】
本発明は、プロアマチュア用の撮像装置に用いる業務用アクセサリー及び民生用の電気接点を持つアクセサリーの取り付けに最適なアクセサリーシューを持った撮像装置に関するものである。
【背景技術】
【０００２】
従来より、撮像装置やカメラの機能性や携帯性、ハンドリングを向上させるため、アクセサリーの取り付け構造が種々提案されている。特にハンドルやストロボ装置、照明装置等のアクセサリーをとりつけるためのアクセサリーシューが一体的に取り付けられているものが多い。これらのアクセサリーシューには、たとえば特許文献１に記載されているような業務用の大型のアクセサリーを取り付けるための３脚穴を持ったアクセサリーシュー及びアダプターが提案されている。
【０００３】
また、特許文献２には、ストロボ装置等用の電気接点及び音声入力用の電気接点を持ったアクセサリーシューが提案されている。
【先行技術文献】
【特許文献】
【０００４】
【特許文献１】特開２００６−７４６９５号公報
【特許文献２】特開平１−１３５２７１号公報
【発明の概要】
【発明が解決しようとする課題】
【０００５】
しかしながら、上記特許文献１では、アクセサリーシュー部に電気接点部を持たないため、アクセサリーとの通信を行うことができず、たとえばストロボ装置等では撮影同期をとることができない。さらに、アクセサリーシュー部がアダプターになっており、アダプターをつけないとアクセサリーシューによるアクセサリが取り付けることができないという問題がある。
【０００６】
また、上記特許文献２では、電気接点部は持つものの、特に業務用などの大型アクセサリーを取り付ける場合には、シューの長さ方向が不足しているためかかり量が不足、ガタが発生する、強固に保持できないため信頼性に欠ける、等の問題がある。
【０００７】
そこで本発明の目的は、業務用等の大型アクセサリー等を強固に保持できる構造を備えながら、電気的接点をもつアクセサリー装置にも対応できるアクセサリーシューを持った撮像装置を提供すること、である。
【課題を解決するための手段】
【０００８】
上記目的を達成するために、本発明の撮像装置は、
アクセサリー取付け用のアクセサリーシュー部と
アクセサリーとの電気導通用の本体側接点部と
前記本体側接点部は光軸と垂直方向に形成され、
前記本体側接点部の一部がシュー平面に対し下向き傾斜部を持ち、
前記アクセサリーシュー内に光軸と垂直方向の立壁部をもち、
前記下向き傾斜部は立壁部まで形成され、
前記立壁部はシュー平面以下までの高さに形成され、
前記立壁部はアクセサリー側の接点が前記立壁に接する状態で、前記本体側接点部とアクセサリー部が電気的導通が可能な位置に配置される、
ことを特徴としている。
また、本発明の他の特徴とするところは、
前記本体側接点のうち、下向き傾斜部は中央部の主接点部を除く前側にのみ形成されている、
ことを特徴としている。
また、本発明の他の特徴とするところは、
三脚用シューネジ穴部を持ち、前記シューネジ部はアクセサリー取付状態において、アクセサリーのロックピンが勘合する位置に配置されている、
ことを特徴としている。
【発明の効果】
【０００９】
以上説明したように、本発明によれば、業務用等の大型アクセサリー等を強固に保持できる構造を備えながら、電気的接点をもつアクセサリー装置にも対応できるアクセサリーシューを持った撮像装置を提供することができる。
【図面の簡単な説明】
【００１０】
【図１】本発明の実施形態にかかわる撮像装置の前方斜視図。
【図２】本発明の実施形態にかかわる撮像装置の後方斜視図。
【図３】アクセサリーシュー部２００の分解斜視図。
【図４】本体側シュー接点ユニット２５０の拡大斜視図。
【図５】本体側シュー接点ユニット２５０が本体側シュー接点保持部２７０に組み込まれた状態での拡大斜視図。
【図６ａ】アクセサリーシュー部２００に取付可能な外付けストロボ３００の斜視図。
【図６ｂ】アクセサリーシュー部２００に取付可能な外付けストロボ３００の斜視図。
【図７】アクセサリー側シューユニット部４００周辺の分解斜視図。
【図８ａ】アクセサリー側シューユニット部４００のロック状態での斜視図。
【図８ｂ】アクセサリー側シューユニット部４００の非ロック状態（シューへの挿入時の状態）での斜視図。
【図９】撮像装置１００上に外付けストロボ３００を装着状態での斜視図。
【図１０】図９のうち、アクセサリーシュー部２００及びアクセサリー側シューユニット部４００の近傍部分の背面図。
【図１１】図１０のＡ−Ａ断面での断面図。
【図１２】図１０のＢ−Ｂ断面での断面図。
【図１３ａ】図１２の状態からさらにアクセサリー側シューユニット部４００を装着方向８００に押し込んだ場合の断面図。
【図１３ｂ】図１３ａの前側接点部２５３近傍の拡大図。
【図１４】外付けハンドル５００の斜視図。
【図１５】外付けハンドル５００を撮像装置１００に取り付けた状態での後方斜視図。
【図１６】図１０のＡ−Ａ断面と同一の位置における図１５状態での断面図。
【図１７】外付け接点無しアクセサリー６００の斜視図。
【図１８】外付け接点無しアクセサリー６００を撮像装置１００に取り付けた状態での後方斜視図。
【図１９】図１０のＡ−Ａ断面と同一の位置における図１８状態での断面図。
【図２０】本発明の別の実施形態におけるアクセサリーシュー部２００の上方視図。
【図２１】従来の構成における、図１１の状態からさらにアクセサリー側シューユニット部４００を装着方向８００に押し込んだ場合の断面図。
【発明を実施するための形態】
【００１１】
以下に、本発明の第１の実施例の好ましい形態を、添付の図面に基づいて詳細に説明する。
【００１２】
図１は本発明の実施形態にかかわる撮像装置の前方斜視図、図２は本発明の実施形態にかかわる撮像装置の後方斜視図である。撮像装置１００は、本体部１０１、交換レンズ部１１０、マイク部１２０、表示部１３０、操作スイッチ部１６０等から構成されている。また、本体部１０１には、交換レンズ部１１０を取り付けるための交換レンズマウント部１１１、交換レンズ着脱ノブ１１２や、記録用媒体を収納するためのカード蓋部１４０、外部機器等と接続するための端子を保護するための端子蓋部１５０等を備える。
【００１３】
また、撮像装置１００の上面にはストロボやハンドル等の外付けアクセサリーを装着するためのアクセサリーシュー部２００等が搭載されている。
【００１４】
図３にアクセサリーシュー部２００の分解斜視図を示す。アクセサリーシュー部２００は、アクセサリー保持用で、左右に保持するためのコの字形状部２１１を有し、主に金属にて構成されるアクセサリー保持部２１０、アクセサリーのガタつき等を防止するためのアクセサリ保持用バネ部２２０、本体部１０１内部の基板等との電気通信用の電気接続部２３０、アクセサリーと電気的に接続するための本体側シュー接点ユニット２５０、及びその保持用の本体側シュー接点保持部２７０、及び対応アクセサリー固定用の三脚穴部２４１を持つ三脚保持部２４０から構成されている。
【００１５】
図４に本体側シュー接点ユニット２５０の拡大斜視図、図５に本体側シュー接点ユニット２５０が本体側シュー接点保持部２７０に組み込まれた状態での拡大斜視図を示す。本体側シュー接点ユニット２５０は、光軸方向のカメラ前方から順に、メインの通信接点となる主接点部２５１、対で構成される前側接点部２５３、同じく対で構成される後側接点部２５２からなる。また、ぞれぞれの接点は、アクセサリーとの接触部として、主接点接触面２６０、前側接点接触面２６２、後側接点接触面２６１をもち、加えて前側接点部２５３は、カメラ下側方向に向かって傾斜している前側接点傾斜面２６５を持つ。
【００１６】
主接点接触面２６０は、本体側シュー接点保持部２７０に設けられた第一面２８０よりも下方に位置している。また、本体側シュー接点保持部２７０には、主接点接触面２６０と略同一面となる第二面２８１、後側接点接触面２６１及び前側接点接触面２６２と略同一面となる第三面２８２を持ち、第一面２８０、第二面２８１、第三面２８２の順でより下方に面を持つ構成となっている。これにより、たとえば本体側に接点を持たないような外付け接点無しアクセサリー６００が装着された場合でも、本体側シュー接点ユニット２５０にシュー保持板部４１０が接触することがなく、誤検知等を防止している。
【００１７】
図６−ａ，図６−ｂにアクセサリーシュー部２００に取付可能な外付けストロボ３００の斜視図を示す。外付けストロボ３００は、発光ユニット部３１０、ストロボバッテリ蓋部３２０、操作スイッチ部３３０、ストロボ表示部３４０等から構成され、アクセサリー側シューユニット部４００で撮像装置１００のアクセサリーシュー部２００に装着される。アクセサリー側シューユニット部４００には固定用のシュー保持板部４１０と、電気通信用のアクセサリー側接点ユニット４５０等を持つ。
【００１８】
図７にアクセサリー側シューユニット部４００周辺の分解斜視図を示す。アクセサリー側シューユニット部４００は、下カバー部４０５に取り付く構成になっており、既に説明した部分に加え、アクセサリー側接点ユニット４５０を保持するためのアクセサリー側上側接点保持部４４０及びアクセサリー側下側接点保持部４４１、撮像装置１００装着時に不用意に外れたりするのを防ぐためのロックピン部４７０、ロックピン部４７０を上下に動作させるためのロックカム部４４５及びロックピン張出部４７１を持つ。また、撮影者がロックピン部４７０を上下させるために操作するロックリング部４３０、アクセサリー側接点ユニット４５０を安定して本体側シュー接点ユニット２５０に押し当てるための接点負勢バネ部４６０を持つ。
【００１９】
図８−ａにアクセサリー側シューユニット部４００のロック状態での斜視図、図８−ｂにアクセサリー側シューユニット部４００の非ロック状態（シューへの挿入時の状態）での斜視図を示す。
【００２０】
アクセサリー側シューユニット部４００がロック状態の際、ロックピン部４７０はシュー保持板部４１０よりも下方に飛び出す。ロックリング部４３０のロックノブ部４３１を操作することにより、ロックピン部４７０及びロックカム部４４５が上方に動作し、アクセサリーシュー部２００への着脱が可能になる。アクセサリー側接点ユニット４５０は、本体側の本体側シュー接点ユニット２５０に対応して、本体装着時に光軸方向のカメラ前方から順に、主接点ピン部４５１、対で構成される前側接点ピン部４５３、同じく対で構成される後側接点ピン部４５２から構成される。
【００２１】
図９に撮像装置１００上に外付けストロボ３００を装着状態での斜視図を示す。外付けストロボ３００は本体部１０１の上方にあるアクセサリーシュー部２００にアクセサリー側シューユニット部４００が挿入されることにより装着される。
【００２２】
図１０に図９のうち、アクセサリーシュー部２００及びアクセサリー側シューユニット部４００の近傍部分の背面図、図１１に図１０のＡ−Ａ断面での断面図、図１２に図１０のＢ−Ｂ断面での断面図を示す。
【００２３】
アクセサリーを撮像装置１００に取り付ける場合、アクセサリー保持部２１０の左右のコの字形状部２１１に、アクセサリー側のシュー保持板部４１０を差し込み、装着方向８００の方向に押し込むことにより装着を行う。本体側の主接点部２５１は、主接点接触面２６０が主接点ピン部４５１の主接点ピン先端部４５５と接触しており、接点負勢バネ部４６０により確実に導通を確保している。
【００２４】
これにより撮像装置１００と外付けストロボ３００とが電気通信を確実に行うことができる。また、後方に抜けてしまうことを防止するために、ロック状態でロックピン部４７０が三脚保持部２４０の三脚穴部２４１に入り込む位置に構成されている。また、図１２に示されるように前側接点部２５３及び後側接点部２５２の前側接点接触面２６２及び後側接点接触面２６１も、同様にそれぞれ前側接点ピン部４５３の前側接点ピン先端部４５７、後側接点ピン部４５２の後側接点ピン先端部４５６と接触することにより電気通信を確実に行うことができる。
【００２５】
図２１に従来の構成における、図１１の状態からさらにアクセサリー側シューユニット部４００を装着方向８００に押し込んだ場合の断面図を示す。従来のシューユニット構成では、装着方向８００に押し込んでいった場合、ストップする構造がない為、主接点ピン部４５１の主接点ピン先端部４５５が主接点部２５１の主接点接触面２６０から外れてしまい、電気通信を行うことが不可能になる。加えて、さらに押しこんでしまうと主接点ピン部４５１の主接点ピン先端部４５５が三脚穴部２４１に落ち込んでしまい、外付けストロボ３００が撮像装置１００から外せなくなってしまう。
【００２６】
図１３−ａに図１２の状態からさらにアクセサリー側シューユニット部４００を装着方向８００に押し込んだ場合の断面図、図１３−ｂに図１３−ａの前側接点部２５３近傍の拡大図を示す。
【００２７】
アクセサリー側シューユニット部４００が前方に押し込まれると、前側接点ピン部４５３の前側接点ピン先端部４５７が、前側接点部２５３の前側接点接触面２６２から前側接点傾斜面２６５の位置まで移動し、接点負勢バネ部４６０により前側接点接触面２６２の面第三面２８２より前側接点傾斜面２６５に沿って下がっていく。さらに前側に進むと、本体側シュー接点保持部２７０に設けられた立壁部２８６に前側接点ピン先端部４５７が接し、それ以上前方へ進めなくなる。
【００２８】
また、この状態では主接点ピン部４５１、前側接点ピン部４５３、及び後側接点ピン部４５２はそれぞれ主接点部２５１、後側接点部２５２、及び前側接点部２５３と接触しており、電気通信を確実に行うことができる。
【００２９】
図１４に外付けハンドル５００の斜視図、図１５に外付けハンドル５００を撮像装置１００に取り付けた状態での後方斜視図、図１６に図１０のＡ−Ａ断面と同一の位置における図１５状態での断面図を示す。外付けハンドル５００は、撮像装置１００と強固に繋がる必要があるため、ハンドル固定用操作部５１０を回すことにより、アクセサリーシュー部２００の三脚穴部２４１とハンドル固定用ネジ部５１１をネジで締結する構成となっている。
【００３０】
ハンドルシュー保持板部５２０はコの字形状部２１１に挿入される構成は外付けストロボ３００と同一であり、本体側シュー接点保持部２７０の第一面２８０が主接点接触面２６０より上側にあるため、電気的に誤作動をおこすこともない。
【００３１】
図１７に外付け接点無しアクセサリー６００の斜視図、図１８に外付け接点無しアクセサリー６００を撮像装置１００に取り付けた状態での後方斜視図、図１９に図１０のＡ−Ａ断面と同一の位置における図１８状態での断面図を示す。外付け接点無しアクセサリー６００では、シュー保持板部６２０をコの字形状部２１１に挿入することにより撮像装置１００に取り付け、アクセサリ固定用操作部６１０を回転させ、コの字形状部２１１をアクセサリ固定用操作部６１０とシュー保持板部６２０の間にはさみこむことにより固定する。この場合も外付けハンドル５００と同様本体側シュー接点保持部２７０の第一面２８０が主接点接触面２６０より上側にあるため、電気的に誤作動をおこすこともない。
【００３２】
これらの構成をとることにより、業務用等の大型アクセサリー等を強固に保持できる構造を備えながら、電気的接点をもつアクセサリー装置にも対応できるアクセサリーシューを持った撮像装置を提供することが可能となる。
【００３３】
以上、本発明の好ましい実施形態について説明したが、本発明はこれらの実施形態に限定されず、その要旨の範囲内で種々の変形及び変更が可能である。たとえば図２０に示すように、三脚穴部２４１をロックピン用穴部７００に変更することにより、よりガタを抑えた構成をとることも可能である。
【符号の説明】
【００３４】
１００・・・・撮像装置
１０１・・・・本体部
１１０・・・・交換レンズ部
１１１・・・・交換レンズマウント部
１１２・・・・交換レンズ着脱ノブ
１２０・・・・マイク部
１３０・・・・表示部
１４０・・・・カード蓋部
１５０・・・・端子蓋部
１６０・・・・操作スイッチ部
２００・・・・アクセサリーシュー部
２１０・・・・アクセサリー保持部
２１１・・・・コの字形状部
２２０・・・・アクセサリ保持用バネ部
２３０・・・・電気接続部
２４０・・・・三脚保持部
２４１・・・・三脚穴部
２５０・・・・本体側シュー接点ユニット
２５１・・・・主接点部
２５２・・・・後側接点部
２５３・・・・前側接点部
２６０・・・・主接点接触面
２６１・・・・後側接点接触面
２６２・・・・前側接点接触面
２６５・・・・前側接点傾斜面
２７０・・・・本体側シュー接点保持部
２８０・・・・第一面
２８１・・・・第二面
２８２・・・・第三面
２８６・・・・立壁部
３００・・・・外付けストロボ
３１０・・・・発光ユニット部
３２０・・・・ストロボバッテリ蓋部
３３０・・・・操作スイッチ部
３４０・・・・ストロボ表示部
４００・・・・アクセサリー側シューユニット部
４０５・・・・下カバー部
４１０・・・・シュー保持板部
４３０・・・・ロックリング部
４３１・・・・ロックノブ部
４４０・・・・アクセサリー側上側接点保持部
４４１・・・・アクセサリー側下側接点保持部
４４５・・・・ロックカム部
４５０・・・・アクセサリー側接点ユニット
４５１・・・・主接点ピン部
４５２・・・・後側接点ピン部
４５３・・・・前側接点ピン部
４５５・・・・主接点ピン先端部
４５６・・・・後側接点ピン先端部
４５７・・・・前側接点ピン先端部
４６０・・・・接点負勢バネ部
４７０・・・・ロックピン部
４７１・・・・ロックピン張出部
５００・・・・外付けハンドル
５１０・・・・ハンドル固定用操作部
５１１・・・・ハンドル固定用ネジ部
５２０・・・・ハンドルシュー保持板部
６００・・・・外付け接点無しアクセサリー
６１０・・・・アクセサリ固定用操作部
６２０・・・・シュー保持板部
７００・・・・ロックピン用穴部
８００・・・・装着方向
【図１】
2018105946.tif 000003
【図２】
2018105946.tif 000004
【図３】
2018105946.tif 000005
【図４】
2018105946.tif 000006
【図５】
2018105946.tif 000007
【図６ａ】
2018105946.tif 000008
【図６ｂ】
2018105946.tif 000009
【図７】
2018105946.tif 000010
【図８ａ】
2018105946.tif 000011
【図８ｂ】
2018105946.tif 000012
【図９】
2018105946.tif 000013
【図１０】
2018105946.tif 000014
【図１１】
2018105946.tif 000015
【図１２】
2018105946.tif 000016
【図１３ａ】
2018105946.tif 000017
【図１３ｂ】
2018105946.tif 000018
【図１４】
2018105946.tif 000019
【図１５】
2018105946.tif 000020
【図１６】
2018105946.tif 000021
【図１７】
2018105946.tif 000022
【図１８】
2018105946.tif 000023
【図１９】
2018105946.tif 000024
【図２０】
2018105946.tif 000025
【図２１】
2018105946.tif 000026